Podtech/llm-jp-corpus-v4-ja_patent huggingface dataset:
(57)【要約】      （修正有）【課題】建物の新築、改造工事に際し、溶融亜鉛メッキされた鋼板で葺いた屋根や鋼板壁がその後の工事中に傷ついたり汚れたりするのを防ぐ養生シートを提供する。【解決手段】柔軟性を有する合成樹脂製の矩形シート２の片面に、細長いシート状磁石３を矩形シートの一辺に平行で、それと直角の辺方向には所定間隔をあけて複数本貼り付けて構成する。【選択図】図４
0003191609.tif 000002
【実用新案登録請求の範囲】
【請求項１】
建物の新築、改造工事に際して鋼板屋根や鋼板壁の表面が後工程の工事中に傷ついたり汚れたりするのを防ぐためその表面に張り付けておく養生シートであって、柔軟性を有する合成樹脂製の矩形シートの片面に、細長いシート状磁石を矩形シートの一辺に平行で、それと直角の辺方向には所定間隔をあけて複数本貼り付けてあることを特徴とする養生シート。
【考案の詳細な説明】
【技術分野】
【０００１】
本考案は建物の新築、改造工事に際し、溶融亜鉛メッキされた鋼板で葺いた屋根や鋼板壁がその後の工事中に傷ついたり汚れたりするのを防ぐためその表面に張り付けておく養生シートに関する。
【背景技術】
【０００２】
新築木造家屋の建設は土台、柱、梁の順に施工され、棟上げが終わると直ぐに屋根の工事が行なわれる。このように早い段階で屋根工事が行なわれるのは、その後の外壁、設備、内装等の施工中に柱や梁が降雨で濡れるのを防ぐためである。しかし、このように早い段階で完成した屋根は、その後の工事中に傷ついたり汚れたりすることがある。特に、一部二階建て家屋の場合、後工程の施工者が完成している一階屋根の上を歩くなどして表面に傷を付けたり、汚したりすることがある。
【０００３】
こうした傷や汚染防止のため、工事中は保護シートを屋根や壁の表面にテープで張り付けておくことが行なわれている。しかし、テープによる張り付けでは、テープを剥がすときにテープの接着剤による汚れが表面に残ったり、テープ残片が表面に残ったりして後始末が面倒である。別の方法として裏面に粘着剤層を形成した合成樹脂製の養生シートを貼り付けておく方法（例えば、特許文献１）もあるが、接着剤による汚れが残る他、シートを再利用できない問題がある。
【先行技術文献】
【特許文献】
【０００４】
【特許文献１】特開２００８−１６９６５６号公報
【考案の開示】
【考案が解決しようとする課題】
【０００５】
本考案は、従来技術のこうした問題点を解決するためになされたもので、その課題は建物の新築、改造工事に際し、溶融亜鉛メッキされた鋼板で葺いた屋根や鋼板壁がその後の工事中に傷ついたり、汚れたりするのを防ぐためその表面に張り付けておく養生シートであって、その張り付けと取り外しを容易に行なうことのできる養生シートを提供することにある。
【課題を解決するための手段】
【０００６】
前記課題を解決するための請求項１に記載の考案は、建物の新築、改造工事に際して鋼板屋根や鋼板壁の表面が後工程の工事中に傷ついたり汚れたりするのを防ぐためその表面に張り付けておく養生シートであって、柔軟性を有する合成樹脂製の矩形シートの片面に、細長いシート状磁石を矩形シートの一辺に平行で、それと直角の辺方向には所定間隔をあけて複数本貼り付けてあることを特徴とする養生シートである。
【０００７】
このような構成の養生シートを家屋建設の早い段階で完成させた鋼板屋根や鋼板壁の表面に張り付けておけば、その後の工事中に施工者がその上を歩いたり、建設資材が当たったりしても表面に傷がついたり汚れたりすることが防止される。鋼板屋根や鋼板壁の表面への取り付け、取り外しも容易で表面に汚れが残らない上、繰り返し使用できる利点を有する。
【図面の簡単な説明】
【０００８】
【図１】本考案に係る養生シート１のシート状磁石を取り付けた面の表面図である。
【図２】図１におけるＡ−Ａ線に沿った断面図である。
【図３】養生シート１の他の例の表面図である。
【図４】養生シート１の鋼板表面５への取り付け説明図である。
【図５】一部二階建て家屋の一階屋根表面に養生シート１を張り付けた例である。
【考案を実施するための形態】
【０００９】
以下、本考案に係る養生シートの一実施形態について図面を参照して説明する。図１は養生シート１の一例としての表面図であり、図２は図１におけるＡ−Ａ線に沿った断面図である。養生シート１は薄い矩形シート２の表面にシート状磁石３を貼り付けたものである。シート２は、ポリプロピレン、ポリスチレン、塩化ビニール等の原料を押し出し成形により製作した柔軟性を有するシートである。これら材料を使用したシートの他、柔軟性があって踏みつけなどに対して強度を有するシートであればよい。
【００１０】
シート状磁石３としては、フェライト磁石粉末と合成ゴムとを混合して成形したフェライトラバーマグネット、ネオジウム磁石粉末と合成ゴムからなるネオジウムラバーマグネットなどを使用する。シート状磁石３は細長い形状に切断し、図１に示すように矩形シート２の片面にその短辺に平行で、それと直角の長辺方向には所定間隔をあけて複数本貼り付ける。反対に、図３に示すように長辺に平行で短辺方向には所定間隔をあけに貼り付けてもよい。
【００１１】
この養生シート１は、建物の新築、改造工事に際して鋼板屋根や鋼板壁の表面が後工程の工事中に傷ついたり汚れたりするのを防ぐためその表面に張り付けておくためのものである。図４に示すように、鋼板表面に溶融亜鉛メッキを施したガルバリウム鋼板で葺いた屋根や外壁面、内壁面にシート状磁石３を貼り付けた面を下側にして磁石の力で張り付ける。図５は一部二階建て家屋の建設に際して早い段階で完成させた一階屋根表面に養生シート１を張り付けた例である。１枚の大きなシートを用いるのでなく、複数枚の小サイズ養生シート１で必要個所を覆うようにしてもよい。このような養生シート１を張り付けておけば、その後の外壁、設備、内装等の施工中に施工者がその上を歩いたり、建設資材が当たったりしても屋根表面が傷ついたり汚れたりすることが防止される。
【００１２】
また、本実施形態の養生シート１は磁石の力で鋼板表面に張り付けるので、取り外しが容易で、繰り返し使用ができる。テープで貼り付けた場合のように、剥がした後にテープの接着剤による汚れが表面に残ったり、テープ残片が表面に残ったりする心配もない。
【符号の説明】
【００１３】
図面中、１は養生シート、２は矩形シート、３はシート状磁石、５は屋根を示す。
【図１】
0003191609.tif 000003
【図２】
0003191609.tif 000004
【図３】
0003191609.tif 000005
【図４】
0003191609.tif 000006
【図５】
0003191609.tif 000007
(57)【要約】      （修正有）【課題】左右１組の靴下の片方が行方不明になることなく、洗濯から乾燥、収納まで左右の１組を保持することによる片方の行方不明を解消し、また、乾燥後１組にセットする手間を解消する靴下洗濯クリップを提供する。【解決手段】素材の特性である柔軟性と復元力をもった一枚の薄板プラスチック１の中央部に左右対称の向き合う４か所の爪状３，４を造形し、底部５より中央部空間２に挿入した靴下を左右の爪３，４が留めることによって、洗濯から乾燥、収納まで左右１組を保持する。【選択図】図１
0003191603.tif 000002
【実用新案登録請求の範囲】
【請求項１】
柔軟性と復元力のある一枚の薄板プラスチック構造物の中央部に左右対称、向き合うように爪状を４か所造形し、底部より中央部空間に挿入した靴下を左右の爪が留めることによって、靴下がクリップからはずれることを防止するように形成した靴下洗濯クリップ。
【考案の詳細な説明】
【技術分野】
【０００１】本考案は、靴下に使用する洗濯クリップに関する。
【背景技術】
【０００２】  従来の鋼線バネを使用しない靴下用クリップは挟む力が弱く、洗濯中にクリップから靴下がはずれることがあった。洗濯バサミを利用すると他の衣類と絡みはずれることがある。
【考案の開示】
【考案が解決しようとする課題】
【０００３】靴下は左右１組で用を足すが、片方が行方不明になることがよくある。そこで洗濯前に左右１組をクリップで留め、洗濯から乾燥、収納まで左右両足を離さずにおくと、以後履くときに便利である。しかし、クリップの挟む力が弱いと洗濯中にクリップがはずれ、クリップの機能が果たせない。洗濯バサミを利用すると、他の衣類と絡みはずれることがある。挟むから留める方法に技術転換するとクリップの機能がよく果たせる。
【課題を解決するための手段】
【０００４】そこで洗濯バサミを利用せず、かつ確実に靴下を留めるクリップとするため、柔軟性と復元力のある一枚の薄板プラスチックの中央部に左右対称、向き合うように４か所の爪状を造形して、底部から中央部空間に挿入した靴下を左右の爪が留め、クリップの留める力を保持するよう考案した。
【考案の効果】
【０００５】  本考案により、洗濯中にクリップがはずれることなく、洗濯後も左右１組で乾燥することができた。乾燥後もクリップをつけたまま収納することができるので、洗濯物取入れ後の左右１組にセットする手間がなくなった。クリップを色分けすることにより所有者を識別できる。これは家族数の多い家庭には便利である
【考案を実施するための最良の形態】
【０００６】  縦３．５ｃｍ、横３ｃｍ、厚さ３ｍｍ程度の柔軟性と復元力のある一枚の薄板プラスチック（靴下洗濯クリップ本体１）の中央部に左右対称の向き合う爪状３、４を造形し、靴下を中央部の空間２に底部５から挿入することによって爪３，４が靴下を留め、洗濯中のクリップのはずれ、また乾燥中に靴下が落下することを防止するよう形成する。
【図面の簡単な説明】
【０００７】
【図１】本考案に係る靴下洗濯クリップの正面図である。
【図２】本考案に係る靴下洗濯クリップに靴下を留めた状態である。
【符号の説明】
【０００８】１    靴下洗濯クリップ本体
２    空間
３    爪状  ▲１▼
４    爪状  ▲２▼
５    底部
６    フック穴
【図１】
0003191603.tif 000003
【図２】
0003191603.tif 000004
(57)【要約】      （修正有）【課題】キャップの紛失や置き場所の失念を可及的に抑制可能なキャップホルダーを提供する。【解決手段】筒状体２であるキャップホルダー１の内周面に複数個の突起部４を設けて構成する。この突起部４を環状に構成する。また、筒状体２の内周面に環状凸部３を設けて構成する。【選択図】図１
0003191630.tif 000002
【実用新案登録請求の範囲】
【請求項１】
内周面に複数個の突起部（４）を有する筒状体（２）であるキャップホルダー。          
【請求項２】
突起部（４）を環状に設けた請求項１に記載のキャップホルダー。
【請求項３】
内周面に環状凸部（３）を設けた請求項１又は請求項２に記載のキャップホルダー。
【考案の詳細な説明】
【技術分野】
【０００１】
本考案はキャップ付き容器のキャップを容器本体に保持させるために用いられるキャップホルダーに関する。
【背景技術】
【０００２】
従来から、キャップを開封した後、該キャップを容器体から離脱して紛失することがないように、例えば下記特許文献１に示されるように、容器体の口部に外嵌されたリング部と、口部に装着されて該口部を封止するキャップ本体と、を連結片で連結したキャップが知られている。
【０００３】
また、特許文献２には蓋付き容器の容器本体底部に、蓋体を嵌め込んで保持させることができる嵌め込み部を設けた蓋付き容器が開示されている。
【先行技術文献】
【特許文献】
【０００４】
【特許文献１】特開２００４−３０７００６号公報
【特許文献２】特開２００３−８１３１９号公報
【考案の概要】
【考案が解決しようとする課題】
【０００５】
キャップを開封した後、該キャップを容器本体から離脱して紛失することは多々ある。ことに、工事現場等で使用されるスプレーその他建築用途物を収容した容器などは、作業時に煩雑にキャップの着脱が行われることから、紛失や置き場所の失念などが起こりがちである。
【０００６】
しかるにスプレーなどは、使用後キャップで噴出部を覆わないと、持ち運び時に内容物が噴出してしまうおそれがある。
【０００７】
そこで、本考案はキャップの紛失や置き場所の失念を可及的に抑制可能なキャップホルダーを提供することを目的とする。
【課題を解決するための手段】
【０００８】
上記の目的を達成する本考案の構成は次の通りである。
【０００９】
（１）  請求項１に記載の考案は、筒状体であるキャップホルダーの内周面に複数個の突起部を設けて構成した。
【００１０】
（２）  請求項２に記載の考案は、請求項１記載のキャップホルダーにおいて、突起部を環状に構成した。
【００１１】
（３）  請求項３に記載の考案は、請求項１又は２に記載のキャップホルダーにおいて、筒状態の内周面に環状凸部を設けて構成した。
【考案の効果】
【００１２】
上記のように構成される本考案が、如何に作用して課題を解決するかを図面を参照しながら概説する。
【００１３】
図３に示すように本考案に係るキャップホルダー１は円筒形の筒状体２であり、図１ｂや図２に示すようにその内周面を周回する形状で環状凸部３が設けてある。更には筒状体２の内周面には複数個の突起部４・・（図２，図３参照）、或るいは環状の突起部４（図４，図５参照）が設けてある。
【００１４】
図６は使用状態を示すものであり、図示されるように容器本体５及び当該容器本体５に被せるキャップ６を筒状体２内に嵌めこむことで、容器本体５とキャップ６が別離されることを防ぐことが可能となるのである。
【００１５】
この際、環状凸部３は、容器本体５・キャップ６を該環状凸部３に当接するまで嵌めこむことで、容器本体５及びキャップ６が保持されるのに充分な深さまで筒状体２内に嵌め込まれることになり、より効果的に容器本体５とキャップ６が別離されることを防ぐことが可能となるのである。
【００１６】
かように容器本体５とキャップ６を一体的に保持することが可能であり、キャップ６の置き場所を失念したり或るいは紛失したりすることを可及的に抑制することが可能となるのである。
【００１７】
更には本考案に係るキャップホルダーでは複数個の突起部４或るいは環状の突起部４が内周面が設けてあることから、当該突起部４が強固に容器本体5或るいはキャップ６と当接することになり、つまりはキャップホルダー１に嵌め込まれた容器本体５或るいはキャップ６がより強固に保持されることとなり、紛失等をより抑制することが可能となるのである。
【図面の簡単な説明】
【００１８】
【図１】ａ  本考案の正面図    ｂ  同、底面図
【図２】Ａ−Ａ線断面図
【図３】請求項１に記載の考案の斜視図
【図４】請求項２に記載の考案の斜視図
【図５】Ｂ−Ｂ線断面図
【図６】使用状態を示す説明図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案に係るキャップホルダー１は、図３に示すように円筒形の筒状体２である。その内周面には突起部４が設けてある。
【００２１】
突起部４は、請求項１に記載の考案では図３に示すように立方体或るいは直方体状の突起物であり、請求項２に記載の考案では図４や図５に示すように筒状体２の内周面を周回する形状の環状突起である。
【００２２】
請求項３に記載の考案では、図１ｂに示されるように、筒状体２の内周面を周回する形態で環状凸部３が設けられている。
【００２３】
本考案に係るキャップホルダー１はキャップや容器本体を嵌めこむ保持する必要が有ることから、ゴム等の弾性体を一体成型して成るものである。
【符号の説明】
【００２４】
１・・キャップホルダー
２・・筒状体
３・・環状凸部
４・・突起部
【図１】
0003191630.tif 000003
【図２】
0003191630.tif 000004
【図３】
0003191630.tif 000005
【図４】
0003191630.tif 000006
【図５】
0003191630.tif 000007
【図６】
0003191630.tif 000008
(57)【要約】      （修正有）【課題】飲料用自動販売機での販売が可能な自動販売機用加工食品を提供する。【解決手段】調理された肉類または魚介類を可撓性を有する第１の容器１２に滅菌処理された状態で封入し、さらに円筒形の第２の容器１４に収納した自動販売機用加工食品であり、缶の形状を模した円筒形の容器を使用することで既存の缶入り飲料用の自動販売機をそのまま転用することができる。【選択図】図２
0003191678.tif 000002
【実用新案登録請求の範囲】
【請求項１】
調理された肉類または魚介類を可撓性を有する第１の容器に滅菌処理された状態で封入し、さらに円筒形の第２の容器に収納した、自動販売機用加工食品。
【請求項２】
前記肉類が、鶏肉、豚肉、牛肉のうち少なくとも何れかの肉が串に刺された状態である、請求項１に記載の自動販売機用加工食品。
【請求項３】
前記第２の容器が、ＪＩＳ規格の２５０ｍｌ缶もしくは３５０ｍｌ缶に準拠した径および高さを有する、請求項１または２に記載の自動販売機用加工食品。
【考案の詳細な説明】
【技術分野】
【０００１】
飲料用自動販売機での販売が可能な加工食品に関する。
【背景技術】
【０００２】
自動販売機、特に缶入り飲料用の自動販売機は街中の至るところに設置してある。またビジネスホテル等を中心に酒のつまみとなる乾物やスナック菓子の自動販売機を設置しているところもある。しかしながら、乾物やスナック菓子用の自動販売機は、缶入り飲料用の自動販売機に比べて台数が少なく、また容器の規格が統一されていないため、購入にあたっては割高感があり、自動販売機の設置に二の足を踏む事業者が多い。
【０００３】
そのため、例えば特許文献１に開示されているように、缶の形状を模した容器に乾物やスナック菓子を収納することで既存の缶入り飲料用の自動販売機をそのまま転用できるようにしたものが提案されている。この容器には棒状の錘が付加されており、缶入り飲料との重量差を埋めるための工夫がなされている。
【先行技術文献】
【特許文献】
【０００４】
【特許文献１】特開平７−１６５２２６号公報
【考案の概要】
【考案が解決しようとする課題】
【０００５】
最近では、例えばコーヒーやお茶において特に顕著であるが、自動販売機で気軽に購入できるような商品であっても本格的な味や質が求められるようになっている。このことは酒のつまみにおいても同様であり、コンビニエンスストア等では材料や調理法などでプレミアム感を打ち出した商品が多数扱われており、実際に多くの消費者に好評をもって迎えられている。
【０００６】
このような消費動向を鑑みると、自動販売機で扱う酒のおつまみについても従来のような乾物やスナック菓子のみでは現代の消費者を満足させることは難しく、厳選された素材を用いてしっかり調理された商品を提供しなければならないであろう。
【０００７】
そこで考案者は、多くの人に人気のある焼き鳥に着目し、これを缶入り飲料用の自動販売機で扱うことができるような形態で販売することに思い至った。
【課題を解決するための手段】
【０００８】
前述した課題を解決するため、本考案は、調理された肉類または魚介類を可撓性を有する第１の容器に滅菌処理された状態で封入し、さらに円筒形の第２の容器に収納した、自動販売機用加工食品を提供する。
【０００９】
第１の容器に封入された肉類または魚介類は一定期間であれば鮮度と風味を保持した状態での保存ができるため、缶の形状を模した円筒形の容器に収納することで既存の缶入り飲料用の自動販売機をそのまま転用して販売することができる。
【００１０】
肉類や魚介類は水分を多く含むため、缶入り飲料との重量差が少なく、錘を付加しなくても自動販売機のフラップを通過することができる。
【００１１】
肉類としては、鶏肉、豚肉、牛肉のうち少なくとも何れかの肉、またはこれらを混合したものを用いることができる。これらの肉類は串に刺した状態にしておくことで、購入者は容器から取り出すだけで気軽に食することができる。
【考案の効果】
【００１２】
本考案の自動販売機用加工食品は、肉類または魚介類が滅菌処理された状態で円筒形の容器に収納されているので、缶入り飲料用の自動販売機をそのまま転用して販売することができる。
【図面の簡単な説明】
【００１３】
【図１】第１の容器に焼き鳥を封入した状態を示す図
【図２】第２の容器に第１の容器を収納した状態を示す図
【図３】自動販売機用加工食品の外観を示す図
【考案を実施するための形態】
【００１４】
図１は第１の容器に焼き鳥を封入した状態を示している。焼き鳥１０は、鶏肉（主としてモモ肉やムネ肉）を一口大に切り、標準的な長さの串に２、３個程度刺して直火で焼き上げて調理したものである。調理済みの焼き鳥１０は、２、３本を１組として適量のタレとともに第１の容器１２に入れ、脱気した後に密封し、加熱殺菌を施す。
【００１５】
第１の容器１２は、ポリプロピレンやポリエステルといった合成樹脂からなるプラスチックフィルム、またはこれにアルミニウム等の金属箔を積層したレトルトパウチ等を袋状に成形した容器であり、容易に変形できる可撓性を有する。
【００１６】
図２は第２の容器に第１の容器を収納した状態を示している。第２の容器１４は飲料用の缶を模した円筒形の容器であり、ＪＩＳで定められた飲料用缶の規格に準ずる径および高さに形成される。焼き鳥を収容する場合、串の長さを考慮すれば２５０ｍｌ缶もしくは３５０ｍｌ缶が好適であり、２５０ｍｌ缶の場合、外径が約５３ｍｍ、高さが約１３３ｍｍであり、３５０ｍｌ缶の場合、外径が約６６ｍｍ、高さが約１２２ｍｍである。第１の第２の容器１４は本体と蓋とで構成されており、本体に第１の容器１２を入れた後に蓋を閉じる。
【００１７】
図３に自動販売機用加工商品の外観を示している。自動販売機用加工食品２０は、焼き鳥１０などの加工食品を第１の容器１２と第２の容器１４の２種類の容器で包装した商品である。この商品の外形はＪＩＳで定められた飲料用缶の規格に準じているため、既存の缶入り飲料用自動販売機をそのまま転用して販売することができる。自動販売機用加工食品２０の中身は焼き鳥などの加工食肉や魚介類であるため、容器に錘などの重量物を負荷する必要もない。
【符号の説明】
【００１８】
１０  焼き鳥
１２  第１の容器
１４  第２の容器
２０  自動販売機用加工食品
【図１】
0003191678.tif 000003
【図２】
0003191678.tif 000004
【図３】
0003191678.tif 000005
(57)【要約】      （修正有）【課題】構造が簡単、操作が便利、漏れし難く、連結効果がよく、製造コストが低いプラスチックパイプ継手を提供する。【解決手段】第一先端１０と第二先端２０を含み、第一先端１０の中部に第一溝１０１があり、第一先端１０の片端のエッジに第一クリップ１０２が設置され、第二先端２０の中部に第二溝２０１があり、第二先端２０の片端のエッジに第二クリップ２０２が設置され、第一溝１０１と第二溝２０１に密封シール１１が設置される。第一先端１０と第二先端２０に密封シール１１が設置されたため、運送効果の向上ができ、漏れを防げる。設置された第一クリップ１０２と第二クリップ２０２、及び傾斜面を通して、回すことによって連結に便利である。パイプの先端にコネクタ１４が設置され、パイプの連結が便利である。【選択図】図１
0003191662.tif 000002
【実用新案登録請求の範囲】
【請求項１】
プラスチックパイプ継手であり、その特徴は：第一先端と第二先端を含み、前述した第一先端の中部に第一溝があり、第一先端の片端のエッジに第一クリップが設置され、前述した第二先端の中部に第二溝があり、第二先端の片端のエッジに第二クリップが設置され、前述した第一溝と第二溝に密封シールが設置されることを特徴とするプラスチックパイプ継手。
【請求項２】
請求項１に記載のプラスチックパイプ継手において、その特徴は：前述した第一クリップと第二クリップの側面は傾斜面であり、傾斜面に滑り止め層があることを特徴とするプラスチックパイプ継手。
【請求項３】
請求項１に記載のプラスチックパイプ継手において、その特徴は：前述した第一先端と第二先端にパイプを連結ためのコネクタが設置されることを特徴とするプラスチックパイプ継手。
【考案の詳細な説明】
【技術分野】
【０００１】
本実用新案はある種のプラスチックパイプ継手に関わる。
【背景技術】
【０００２】
パイプは水、燃料、油、天然ガスなど物質を運送する重要な手段である。しかし、効率良く運送できるため、パイプ間に適当な継手が必要である。現在のパイプ取付と連結は非常に手間がかかり、構造が複雑で、専門的なツールと多くの人手で連結作業を行う必要がある。また、継手の運送能力が低く、物質の漏れし易く、安全リスクと製造コストが高いなどの不足がある。
【考案の概要】
【考案が解決しようとする課題】
【０００３】
本実用新案の解決したい技術課題とはある種の構造が簡単、操作が便利、漏れし難く、連結効果がよく、製造コストが低いプラスチックパイプ継手を提供することである。
【課題を解決するための手段】
【０００４】
上述した課題を解決する為、本実用新案は以下の技術案を採用する：ある種のプラスチックパイプ継手であり、第一先端と第二先端を含み、前述した第一先端の中部に第一溝があり、第一先端の片端のエッジに第一クリップが設置され、前述した第二先端の中部に第二溝があり、第二先端の片端のエッジに第二クリップが設置され、前述した第一溝と第二溝に密封シールが設置される。
【０００５】
本実用新案のプラスチックパイプ継手について、前述した第一クリップと第二クリップの側面は傾斜面であり、傾斜面に滑り止め層がある。
【０００６】
本実用新案のプラスチックパイプ継手について、前述した第一先端と第二先端にパイプを連結ためのコネクタが設置される。
【考案の効果】
【０００７】
本実用新案の有益な効果は：第一先端と第二先端に密封シールが設置されたため、運送効果の向上ができ、漏れを防げる。設置された第一クリップと第二クリップ、及び傾斜面を通して、回すことによって連結に便利である。パイプの先端にコネクタが設置され、パイプの連結が便利である。
【図面の簡単な説明】
【０００８】
【図１】本実用新案の構造図である。
【図２】本実用新案のクリップの構造図である。
【考案を実施するための形態】
【０００９】
図１と図２に従って、ある種のプラスチックパイプ継手で、第一先端10と第二先端20を含み、前述した第一先端10の中部に第一溝101があり、第一先端10の片端のエッジに第一クリップ102が設置され、前述した第二先端20の中部に第二溝201があり、第二先端20の片端のエッジに第二クリップ202が設置され、前述した第一溝101と第二溝201に密封シール11が設置され、気密性を向上させ、漏れを防止する。
【００１０】
本実用新案のプラスチックパイプ継手について、前述した第一クリップ102と第二クリップ202の側面は傾斜面であり、傾斜面に滑り止め層12があり、連結した場合、固定効果を果たす。
【００１１】
本実用新案のプラスチックパイプ継手について、前述した第一先端10と第二先端20にパイプを連結ためのコネクタ14が設置され、連結に便利である。
【００１２】
明らかに、本分野の技術者は本実用新案の精神と範囲を抜けない前提で、本実用新案を様々な変化や改善を行える。本実用新案に対する変化や改善は本実用新案の権利要求及び同等の技術範囲以内に属する場合、本実用新案も上記の変化や改善を含む。
【符号の説明】
【００１３】
10  第一先端
11  密封シール
12  滑り止め層
14  コネクタ
20  第二先端
101  第一溝
102  第一クリップ
201  第二溝
202  第二クリップ
【図１】
0003191662.tif 000003
【図２】
0003191662.tif 000004
(57)【要約】      （修正有）【課題】構造が簡単で、使用寿命が長く、使用しやすく、洗濯済みの服を洗濯機から直接取り出せる洗濯機ドラムのろ過装置を提供する。【解決手段】ドラム１、及びドラム１の表面に設置された出水穴３を含み、ドラム１の内部に濾過筒２が設置され、濾過筒２の表面に濾過穴５が設置され、上部に突起したブロック４が設置され、ドラム１の上部に濾過筒２にある突起したブロック４と連携する溝６がある。濾過筒２を通して、洗濯中に服から落ちてきた細かいものをろ過でき、洗濯機内部での積み重ねを防止する。更に濾過筒２はドラム１と切り離れることができ、洗濯後、濾過筒２を直接取り出し、物干しに便利で、濾過筒２の掃除にも便利である。構造は簡単で、使用しやすく、市場の見通しが良い。【選択図】図１
0003191668.tif 000002
【実用新案登録請求の範囲】
【請求項１】
洗濯機ドラムのろ過装置であり、ドラム、及びドラムの表面に設置された出水穴を含み、その特徴は：前述したドラムの内部に濾過筒が設置され、前述した濾過筒の表面に濾過穴が設置され、上部に突起したブロックが設置され、前述したドラムの上部に濾過筒にある突起したブロックと連携する溝があることを特徴とする洗濯機ドラムのろ過装置。
【請求項２】
請求項１に記載の洗濯機ドラムのろ過装置において、その特徴は：前述したドラムは濾過筒と切り離れることができることを特徴とする洗濯機ドラムのろ過装置。
【請求項３】
請求項１に記載の洗濯機ドラムのろ過装置において、その特徴は：前述した濾過筒の外径はドラムの内径と同じであることを特徴とする洗濯機ドラムのろ過装置。
【考案の詳細な説明】
【技術分野】
【０００１】
本実用新案はある種の洗濯機ドラムのろ過装置に関わる。
【背景技術】
【０００２】
洗濯機は服の汚れを取り除く同時に、よく服にある小さなものやかたまりを剥がして、長い時間に経つと、洗濯機の内部で積み重ねて、洗濯機の使用寿命を影響し、服の洗濯にも悪影響を及ぼす。また、既存している洗濯機のドラムはモーターと連結して、分離が不能である。洗濯した後に手動で服を器に移す必要があり、洗濯済みの服を洗濯機から直接取り出せる洗濯機はまだないという。
【考案の概要】
【考案が解決しようとする課題】
【０００３】
本実用新案の解決したい技術課題とはある種の構造が簡単で、使用寿命が長く、使用しやすく、洗濯済みの服を洗濯機から直接取り出せる洗濯機ドラムのろ過装置を提供することである。
【課題を解決するための手段】
【０００４】
上述した課題を解決する為、本実用新案は以下の技術案を採用する：
本実用新案の洗濯機ドラムのろ過装置はドラム、及びドラムの表面に設置された出水穴を含み、その特徴は：前述したドラムの内部に濾過筒が設置され、前述した濾過筒の表面に濾過穴が設置され、上部に突起したブロックが設置され、前述したドラムの上部に濾過筒にある突起したブロックと連携する溝がある。
【０００５】
最適な技術案として、前述したドラムは濾過筒と切り離れることができる。
【０００６】
最適な技術案として、前述した濾過筒の外径はドラムの内径と同じ。
【考案の効果】
【０００７】
本実用新案の有益な効果は：本実用新案は濾過筒を通して、洗濯中に服から落ちてきた細かいものをろ過でき、洗濯機内部での積み重ねを防止する。更に濾過筒はドラムと切り離れることができ、洗濯後、濾過筒を直接取り出し、物干しに便利で、濾過筒の掃除にも便利である。本装置の構造は簡単で、使用しやすく、市場の見通しが良い。
【図面の簡単な説明】
【０００８】
【図１】本実用新案の洗濯機ドラムのろ過装置の構造図である。
【考案を実施するための形態】
【０００９】
図１に示した通り、本実用新案の洗濯機ドラムのろ過装置はドラム１、及びドラム１の表面に設置された出水穴３を含み、前述したドラム１の内部に濾過筒２が設置され、前述した濾過筒２の表面に濾過穴５が設置され、上部に突起したブロック４が設置され、前述したドラム１の上部に濾過筒２にある突起したブロック４と連携する溝６がある。
【００１０】
そのうち、前述したドラム１は濾過筒２と切り離れることができる。
【００１１】
そのうち、前述した濾過筒２の外径はドラム１の内径と同じ。
【００１２】
本実用新案の有益な効果は：本実用新案は濾過筒を通して、洗濯中に服から落ちてきた細かいものをろ過でき、洗濯機内部での積み重ねを防止する。更に濾過筒はドラムと切り離れることができ、洗濯後、濾過筒を直接取り出し、物干しに便利で、濾過筒の掃除にも便利である。本装置の構造は簡単で、使用しやすく、市場の見通しが良い。
【００１３】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１４】
１  ドラム
２  濾過筒
３  出水穴
４  ブロック
５  濾過穴
６  溝
【図１】
0003191668.tif 000003
(57)【要約】      （修正有）【課題】構造が簡単で、安全、便利に使用できるシンプルな切断装置を提供する。【解決手段】長方形ベース１を含み、ベース１のフロントには鋭い刃３を設置し、前述したベース１の下部の両側面にそれぞれ挿入板２があり、前述した挿入板２はベース１と垂直状態で設置され、挿入板２の長さはベース１の長さと同じく、ベース１の下部は中空状であり、前述したベース１の上部に重りを設置できる格納タンク６があり、前述したベース１のフロントの両側面にシャックル７があり、シャックル７の上に持ち手４が設置され、前述した持ち手４はスポンジ材料で造られ、シャックル７の両側はピンを通してベースとアクティブな接続をし、前述した格納タンクとシャックル７の間に、ベース１と垂直するフェンス５がある。【選択図】図１
0003191666.tif 000002
【実用新案登録請求の範囲】
【請求項１】
切断装置であり、その特徴は：長方形ベースを含み、ベースのフロントには鋭い刃を設置し、前述したベースの下部の両側面にそれぞれ挿入板があり、前述した挿入板はベースと垂直状態で設置され、挿入板の長さはベースの長さと同じく、ベースの下部は中空状であり、前述したベースの上部に重りを設置できる格納タンクがあり、前述したベースのフロントの両側面にシャックルがあり、シャックルの上に持ち手が設置され、前述した持ち手はスポンジ材料で造られ、シャックルの両側はピンを通してベースとアクティブな接続をし、前述した格納タンクとシャックルの間に、ベースと垂直するフェンスがあることを特徴とする切断装置。
【請求項２】
請求項１に記載の切断装置において、その特徴は：前述したベースは中実金属材料で造られることを特徴とする切断装置。
【請求項３】
請求項１に記載の切断装置において、その特徴は：前述した挿入板は金属材料で造られ、その厚さは1-2mmであることを特徴とする切断装置。
【請求項４】
請求項１に記載の切断装置において、その特徴は：前述したフェンスの幅はベースの幅と同じく、金属材料で造られることを特徴とする切断装置。
【考案の詳細な説明】
【技術分野】
【０００１】
本実用新案はある種のシンプルな切断装置に関わる。
【背景技術】
【０００２】
伝統的な芝刈り作業にてよく使われる道具は鎌である。鎌を使う際、片手が草を持って、反対側の手で鎌を用いて草を切る。この方法の短所は、草を持つ手は雑草に切られ易く、更に鎌によって手を切ってしまう可能性も高く、一定な安全リスクが存在する。また夏の時、毒蛇が草に潜む可能性が大きく、既存の芝刈り方法は非常に不安全である。
【考案の概要】
【考案が解決しようとする課題】
【０００３】
本実用新案の解決したい技術課題とはある種の構造が簡単で、安全、便利に使用できるシンプルな切断装置を提供することである。
【課題を解決するための手段】
【０００４】
上述した課題を解決する為、本実用新案は以下の技術案を採用する：ある種のシンプルな切断装置であり、長方形ベースを含み、ベースのフロントには鋭い刃を設置し、前述したベースの下部の両側面にそれぞれ挿入板があり、前述した挿入板はベースと垂直状態で設置され、挿入板の長さはベースの長さと同じく、ベースの下部は中空状であり、前述したベースの上部に重りを設置できる格納タンクがあり、前述したベースのフロントの両側面にシャックルがあり、シャックルの上に持ち手が設置され、前述した持ち手はスポンジ材料で造られ、シャックルの両側はピンを通してベースとアクティブな接続をし、前述した格納タンクとシャックルの間に、ベースと垂直するフェンスがある。
【０００５】
最適な技術案として、前述したベースは中実金属材料で造られる。
【０００６】
最適な技術案として、前述した挿入板は金属材料で造られ、その厚さは1-2mmである。
【０００７】
最適な技術案として、前述したフェンスの幅はベースの幅と同じく、金属材料で造らる。
【考案の効果】
【０００８】
本実用新案の有益な効果は：本実用新案を使用する際、草むらに置き、挿入板を地面に挿し込み、これからシャックルを持ってドラッグだけで、装置のフロントにある刃で芝刈りできる。格納タンクに充分な重りを放置でき、ドラッグして切ることを実現させる。本装置の構造は簡単で、使用には便利である。
【図面の簡単な説明】
【０００９】
【図１】本実用新案の全体構造図である。
【考案を実施するための形態】
【００１０】
図１に示したある種のシンプルな切断装置に従って、長方形ベース１を含み、ベース１のフロントには鋭い刃３を設置し、前述したベース１の下部の両側面にそれぞれ挿入板２があり、前述した挿入板２はベース１と垂直状態で設置され、挿入板２の長さはベースの長さと同じく、ベースの下部は中空状であり、前述したベース１の上部に重りを設置できる格納タンク６があり、前述したベース１のフロントの両側面にシャックル７があり、シャックル７の上に持ち手４が設置され、前述した持ち手４はスポンジ材料で造られ、シャックル７の両側はピンを通してベース１とアクティブな接続をし、前述した格納タンク６とシャックル７の間に、ベース１と垂直するフェンス５がある。
【００１１】
最適な技術案として、前述したベース１は中実金属材料で造られ、重くて、ドラッグする際、ベースを下へ押し込む作用を果たして、芝刈り作業がより徹底的に行える。
【００１２】
最適な技術案として、前述した挿入板２は金属材料で造られ、その厚さは1-2mmであり、本技術案にある挿入板２の厚さは1mmである。
【００１３】
そのうち、フェンス５の幅はベース１の幅と同じく、金属材料で造らる。
【００１４】
本実用新案の有益な効果は：本実用新案を使用する際、草むらに置き、挿入板を地面に挿し込み、これからシャックルを持ってドラッグだけで、装置のフロントにある刃で芝刈りできる。格納タンクに充分な重りを放置でき、ドラッグして切ることを実現させる。本装置の構造は簡単で、使用には便利である。
【００１５】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１６】
１  ベース
２  挿入板
３  刃
４  持ち手
５  フェンス
６  格納タンク
７  シャックル
【図１】
0003191666.tif 000003
(57)【要約】      （修正有）【課題】構造が簡単で清掃に便利で、煙や油汚れを一方通行にコントロールでき、地球に優しい伸縮可能な煙道パイプラインを提供する。【解決手段】コネクター８、コネクターに付けられた伸縮可能なパイプライン１、パイプラインの末端に設置されたテールパイプ５、コネクターに設置された袋７、袋内部に設置された引きひも９、テールパイプに設置されたヒンジ３、ヒンジを通してテールパイプと繋ぐ蓋４、コネクターとテールパイプに設置されたクリップ６を含み、パイプライン内部のクリップの間に交換可能な油紙２が設置される。清掃に便利で、油汚れの長期間の積み重ねによって火事に繋ぐ安全リスクを避けられる。更に、蓋により煙の逆戻しを防げ、キッチンの環境衛生を保持できる。【選択図】図１
0003191661.tif 000002
【実用新案登録請求の範囲】
【請求項１】
煙道パイプラインであり、その特徴は：コネクター、コネクターに付けられた伸縮可能なパイプライン、伸縮可能なパイプラインの末端に設置されたテールパイプ、コネクターに設置された袋、袋内部に設置された引きひも、テールパイプに設置されたヒンジ、ヒンジを通してテールパイプと繋ぐ蓋、コネクターとテールパイプに設置されたクリップを含み、前述した伸縮可能なパイプライン内部のクリップの間に油紙が設置されることを特徴とする煙道パイプライン。
【請求項２】
請求項１に記載の煙道パイプラインにおいて、その特徴は：前述したクリップはコネクターとテールパイプに、それぞれ3つ以上設置されることを特徴とする煙道パイプライン。
【請求項３】
請求項１に記載の煙道パイプラインにおいて、その特徴は：前述した油紙は交換可能であることを特徴とする煙道パイプライン。
【請求項４】
請求項１に記載の煙道パイプラインにおいて、その特徴は：前述した蓋のサイズはテールパイプの直径より大きいことを特徴とする煙道パイプライン。
【考案の詳細な説明】
【技術分野】
【０００１】
本実用新案はパイプラインに関わり、特にある種の地球に優しい伸縮可能な煙道パイプラインに関わる。
【背景技術】
【０００２】
現在、既存のレンジフード外部パイプラインは通常伸縮式である。しかし使用において、ショーテージ部位がある為、清掃が難しく、特に油汚れが積み重ねやすく、キッチンは長期に火をつける場所として、火事の発生可能性が高。また、煙や油汚れを排出過程にて、送風機の稼動によって、煙や油汚れが排出しやすく、送風機が停止した場合、内外気圧の差及び風向の原因で、煙や油汚れがキッチンに逆戻しやすく、環境の汚染に繋ぐ。
【考案の概要】
【考案が解決しようとする課題】
【０００３】
本実用新案の解決したい技術課題とは、構造が簡単、設計が合理的な地球に優しい伸縮可能な煙道パイプラインを提供することである。
【課題を解決するための手段】
【０００４】
上述した課題を解決する為、本実用新案は以下の技術案を採用する：コネクター、コネクターに付けられた伸縮可能なパイプライン、伸縮可能なパイプラインの末端に設置されたテールパイプ、コネクターに設置された袋、袋内部に設置された引きひも、テールパイプに設置されたヒンジ、ヒンジを通してテールパイプと繋ぐ蓋、コネクターとテールパイプに設置されたクリップを含み、前述した伸縮可能なパイプライン内部のクリップの間に油紙が設置される。
【０００５】
最適な技術案として、前述したクリップはコネクターとテールパイプに、それぞれ3つ以上設置される。
【０００６】
最適な技術案として、前述した油紙は交換可能である。
【０００７】
最適な技術案として、前述した蓋のサイズはテールパイプの直径より大きい。
【考案の効果】
【０００８】
本実用新案の地球に優しい伸縮可能な煙道パイプラインの有益な効果は：構造は簡単で、設計が合理的、使用する際、パイプラインをレンジフードの上にセットして、便利で効果的、パイプライン内部の交換可能油紙を用いて、清掃に便利で、油汚れの長期間の積み重ねによって火事に繋ぐ安全リスクを避けられる。更に、蓋の設置によって、効果的に煙の逆戻しを防げ、煙や油汚れを一方通行をコントロールでき、キッチンの環境衛生を保持でき、普及して利用することに適応する。
【図面の簡単な説明】
【０００９】
【図１】本実用新案の地球に優しい伸縮可能な煙道パイプラインの構造図である。
【考案を実施するための形態】
【００１０】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１１】
図1に示されたある種の地球に優しい伸縮可能な煙道パイプラインはコネクター８、コネクター８に付けられた伸縮可能なパイプライン１、伸縮可能なパイプライン１の末端に設置されたテールパイプ５、コネクター８に設置された袋７、袋７内部に設置された引きひも９、テールパイプ５に設置されたヒンジ３、ヒンジ３を通してテールパイプ５と繋ぐ蓋４、コネクター８とテールパイプ５に設置されたクリップ６を含み、前述した伸縮可能なパイプライン１内部のクリップ６の間に油紙２が設置される。
【００１２】
そのうち、前述したクリップ６はコネクター８とテールパイプ５に、それぞれ3つ以上設置され、油紙２を伸縮可能なパイプライン１の内部にしっかり固定できる。
【００１３】
前述した油紙２は交換可能である。長時間使用の後、交換を通して伸縮可能なパイプライン１を掃除でき、油汚れの積み重ねによる安全リスクを避けられる。
【００１４】
前述した蓋４のサイズはテールパイプ５の直径より大きい。蓋４を常にテールパイプ５の外部にあることを保証し、排出する際パイプラインの内部に詰まることがない。
【００１５】
本実用新案の有益な効果は：構造は簡単で、設計が合理的、使用する際、パイプラインをレンジフードの上にセットして、便利で効果的、パイプライン内部の交換可能油紙を用いて、清掃に便利で、油汚れの長期間の積み重ねによって火事に繋ぐ安全リスクを避けられる。更に、蓋の設置によって、効果的に煙の逆戻しを防げ、煙や油汚れを一方通行をコントロールでき、キッチンの環境衛生を保持でき、普及して利用することに適応する。
【００１６】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００１７】
１、伸縮可能なパイプライン。２、油紙。３、ヒンジ。４、蓋。５、テールパイプ。６、クリップ。７、袋。８、コネクター。９、引きひも。
【図１】
0003191661.tif 000003
(57)【要約】      （修正有）【課題】構造が簡単で、経済的利益が高く、コンパクトで、連結に便利な金属コネクタを提供する。【解決手段】連結ピースとロックピースを含む。連結ピースは一つの固定ブロック１を含み、固定ブロック１の下部に一枚の挿入板２があり、挿入板２の両側に一つ以上の第一スロット３があり、第一スロット３の片方は開口部であり、開口部はフェンス４で密封され、ロックピースの形は四角で、「凹」字の形であり、ロックピースの中部に第二スロットが設置され、連結ピースとロックピースは第一スロット３と第二スロットの連携によって丈夫に連結される。主に接続面の小さい合板の連結に適応する。使用する際、連結ピースを上下の合板内部に挿入し、そしてロックピースの第二スロットを第一スロット３に挿入して、二つの合板の連結を実現させる。【選択図】図１
0003191667.tif 000002
【実用新案登録請求の範囲】
【請求項１】
金属コネクタであり、その特徴は：連結ピースとロックピースを含み、前述した連結ピースは一つの固定ブロックを含み、前述した固定ブロックの下部に一枚の挿入板があり、前述した挿入板の両側に一つ以上の第一スロットがあり、前述した第一スロットの片方は開口部であり、開口部はフェンスで密封され、前述したロックピースの形は四角で、「凹」字の形であり、ロックピースの中部に第二スロットが設置され、前述した連結ピースとロックピースは第一スロットと第二スロットの連携によって丈夫に連結されることを特徴とする金属コネクタ。
【請求項２】
請求項１に記載の金属コネクタにおいて、その特徴は：前述した第一スロットは台形であり、開口部が広く、下部は狭いことを特徴とする金属コネクタ。
【請求項３】
請求項１に記載の金属コネクタにおいて、その特徴は：前述した第二スロットは台形であり、開口部が広く、下部は狭いことを特徴とする金属コネクタ。
【請求項４】
請求項１に記載の金属コネクタにおいて、その特徴は：前述した連結ピースとロックピースは全部四角であり、スチール材質で造られることを特徴とする金属コネクタ。
【考案の詳細な説明】
【技術分野】
【０００１】
本実用新案はある種の金属コネクタに関わる。
【背景技術】
【０００２】
二つの合板の連結を実現させるには、伝統的なやり方はスタッドボルトとナットで二つの合板に貫通して固定することである。しかし、スタッドボルトとナットの横断面積が大きく、合板のスペースを占用してしまう。面積が限られている合板にとって、スタッドボルトとナットを使用することは、目的を果たせない。
【考案の概要】
【考案が解決しようとする課題】
【０００３】
本実用新案の解決したい技術課題とはある種の構造が簡単で、経済的利益が高く、コンパクトで、連結に便利な金属コネクタを提供することである。
【課題を解決するための手段】
【０００４】
上述した課題を解決する為、本実用新案は以下の技術案を採用する：
ある種の金属コネクタであり、連結ピースとロックピースを含む。前述した連結ピースは一つの固定ブロックを含み、前述した固定ブロックの下部に一枚の挿入板があり、前述した挿入板の両側に一つ以上の第一スロットがあり、前述した第一スロットの片方は開口部であり、開口部はフェンスで密封され、前述したロックピースの形は四角で、「凹」字の形であり、ロックピースの中部に第二スロットが設置され、前述した連結ピースとロックピースは第一スロットと第二スロットの連携によって丈夫に連結される。
【０００５】
最適な技術案として、前述した第一スロットは台形であり、開口部が広く、下部は狭い。
【０００６】
最適な技術案として、前述した第二スロットは台形であり、開口部が広く、下部は狭い。
【０００７】
最適な技術案として、前述した連結ピースとロックピースは全部四角であり、スチール材質で造られる。
【考案の効果】
【０００８】
本実用新案の有益な効果は：本実用新案は主に接続面の小さい合板の連結に適応する。使用する際、連結ピースを上下の合板内部に挿入し、そしてロックピースの第二スロットを第一スロットに挿入して、二つの合板の連結を実現させる。本実用新案の構造は簡単で、連結方式もシンプルであり、合板に大きな開け口を彫る必要がなく、低コストで、経済的利益がより高い。
【図面の簡単な説明】
【０００９】
【図１】本実用新案の連結ピースの構造図である。
【図２】本実用新案のロックピースの構造図である。
【図３】本実用新案の組み立て済みの構造図である。
【考案を実施するための形態】
【００１０】
図１、図2と図3に示した通り、本実用新案――ある種の金属コネクタは、連結ピースとロックピースを含む。前述した連結ピースは一つの固定ブロック１を含み、前述した固定ブロック１の下部に一枚の挿入板２があり、前述した挿入板２の両側に一つ以上の第一スロット３があり、前述した第一スロット３の片方は開口部であり、開口部はフェンス４で密封され、前述したロックピース６の形は四角で、「凹」字の形であり、ロックピース６の中部に第二スロット５が設置され、前述した連結ピースとロックピース６は第一スロット３と第二スロット５の連携によって丈夫に連結される。
【００１１】
最適な技術案として、前述した第一スロット３は台形であり、開口部が広く、下部は狭い。
【００１２】
そのうち、前述した第二スロット５は台形であり、開口部が広く、下部は狭い。第一スロット３と第二スロット５が組み立てされた場合、下部に近づければ近づけるほど、しっかり締められ、丈夫な連結を実現させる。
【００１３】
最適な技術案として、前述した連結ピースとロックピース６は全部四角であり、スチール材質で造られる。
【００１４】
本実用新案の有益な効果は：本実用新案は主に接続面の小さい合板７の連結に適応する。使用する際、連結ピースを上下の合板内部に挿入し、そしてロックピースの第二スロットを第一スロットに挿入して、二つの合板の連結を実現させる。本実用新案の構造は簡単で、連結方式もシンプルであり、合板に大きな開け口を彫る必要がなく、低コストで、経済的利益がより高い。
【００１５】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１６】
１ 固定ブロック
２ 挿入板
３ 第一スロット
４ フェンス
５ 第二スロット
６ ロックピース
【図１】
0003191667.tif 000003
【図２】
0003191667.tif 000004
【図３】
0003191667.tif 000005